(57)【特許請求の範囲】
【請求項１】
デイジーチェーン接続される映像表示機器であって、
自機器の情報を含む識別データを保持する記憶部と、
自機器が中継する映像信号の受信が可能な映像表示機器である後段側機器が接続されると、前記後段側機器から該後段側機器の識別データを受信し、前記受信した識別データが、前記後段側機器が自機器と同一機種であることを示すと、自機器の識別データをそのまま保持する制御部と、
を有し、
前記制御部は、前記受信した識別データが、前記後段側機器が自機器と異なる機種であることを示すと、自機器の識別データを前記後段側機器の識別データに書き換える書き換え処理を行う映像表示機器。
【請求項２】
請求項１に記載の映像表示機器において、
前記制御部は、
前記書き換え処理を行うとき、少なくとも自機器の識別データを前記後段側機器の識別データに書き換えている期間、前記映像信号を自機器へ供給する前段側機器に、信号受信の準備未完了を通知する映像表示機器。
【請求項３】
請求項２に記載の映像表示機器において、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ：登録商標）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて前記前段側機器に接続され、前記信号受信の準備未完了は、前記インタフェースで用いられるＨＰＤ（Ｈｏｔ  Ｐｌｕｇ  Ｄｅｔｅｃｔ）信号がＬｏｗである映像表示機器。
【請求項４】
請求項１から３のいずれか１項に記載の映像表示機器において、
前記識別データは、少なくとも映像表示機器の機種を示す情報を含む映像表示機器。
【請求項５】
デイジーチェーン接続される映像表示機器であって、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ：登録商標）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて、映像信号を供給する前段側機器に接続され、
自機器の情報を含む識別データを保持する記憶部と、
自機器が中継する映像信号の受信が可能な映像表示機器である後段側機器が接続されると、前記後段側機器から該後段側機器の識別データを受信し、前記受信した識別データが、前記後段側機器が自機器と同一機種であることを示すと、Ｈｉｇｈに設定されている、前記インタフェースで用いられるＨＰＤ（Ｈｏｔ  Ｐｌｕｇ  Ｄｅｔｅｃｔ）信号を保持する制御部と、
を有し、
前記制御部は、
前記受信した識別データが、前記後段側機器が自機器と異なる機種であることを示すと、自機器の識別データを前記後段側機器の識別データに書き換える書き換え処理を行い、
前記書き換え処理を行うとき、少なくとも自機器の識別データを前記後段側機器の識別データに書き換えている期間、前記映像信号を自機器へ供給する前段側機器に、信号受信の準備未完了を通知し、
前記信号受信の準備未完了は、前記ＨＰＤ信号がＬｏｗである、映像表示機器。
【請求項６】
デイジーチェーン接続される映像表示機器の接続方法であって、
第１の映像表示機器に、当該第１の映像表示機器が中継する映像信号の受信が可能な映像表示機器である第２の映像表示機器が接続されると、
前記第１の映像表示機器は、前記第２の映像表示機器から該第２の映像表示機器の識別データを受信し、
前記受信した識別データが、前記第２の映像表示機器が前記第１の映像表示機器と同一機種であることを示すと、前記第１の映像表示機器の識別データをそのまま保持し、
前記受信した識別データが、前記第２の映像表示機器が第１の映像表示機器と異なる機種の場合は、第１の映像表示機器の識別データを前記第２の映像表示機器の識別データに書き換える書き換え処理を行う映像表示機器の接続方法。
【請求項７】
請求項６に記載の映像表示機器の接続方法において、
前記第１の映像表示機器は、前記書き換え処理を行うとき、少なくとも前記書き換え処理を行っている期間、前記映像信号を前記第１の映像表示機器へ供給する第３の機器に、信号受信の準備未完了を通知する映像表示機器の接続方法。
【請求項８】
請求項７に記載の映像表示機器の接続方法において、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ：登録商標）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて前記第３の機器に接続され、前記信号受信の準備未完了は、前記インタフェースで用いられるＨＰＤ（Ｈｏｔ  Ｐｌｕｇ  Ｄｅｔｅｃｔ）信号がＬｏｗである映像表示機器の接続方法。
【請求項９】
請求項６から８のいずれか１項に記載の映像表示機器の接続方法において、
前記識別データは、少なくとも映像表示機器の機種を示す情報を含む映像表示機器の接続方法。
【請求項１０】
デイジーチェーン接続される映像表示機器の接続方法であって、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ：登録商標）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて、映像信号を供給する前段側機器に接続され、
自機器が中継する映像信号の受信が可能な映像表示機器である後段側機器が接続されると、
前記後段側機器から該後段側機器の識別データを受信し、
前記受信した識別データが、前記後段側機器が自機器と同一機種であることを示すと、Ｈｉｇｈに設定されている、前記インタフェースで用いられるＨＰＤ（Ｈｏｔ  Ｐｌｕｇ  Ｄｅｔｅｃｔ）信号を保持し、
前記受信した識別データが、前記後段側機器が自機器と異なる機種であることを示すと、自機器の識別データを前記後段側機器の識別データに書き換える書き換え処理を行い、
前記書き換え処理を行うとき、少なくとも自機器の識別データを前記後段側機器の識別データに書き換えている期間、前記映像信号を自機器へ供給する前段側機器に、信号受信の準備未完了を通知し、
前記信号受信の準備未完了は、前記ＨＰＤ信号がＬｏｗである、映像表示機器の接続方法。
【請求項１１】
映像信号が示す映像を表示する複数の映像表示機器を有し、
前記複数の映像表示機器がデイジーチェーン接続され、
前記映像表示機器は、
自機器の情報を含む識別データを保持する記憶部と、
自機器が中継する前記映像信号の受信が可能な映像表示機器である後段側機器が接続されると、前記後段側機器から該後段側機器の識別データを受信し、前記受信した識別データが、前記後段側機器が自機器と同一機種であることを示すと、自機器の識別データをそのまま保持する制御部と、
を有し、
前記制御部は、前記受信した識別データが、前記後段側機器が自機器と異なる機種であることを示すと、自機器の識別データを前記後段側機器の識別データに書き換える書き換え処理を行うマルチ表示システム。
【発明の詳細な説明】
【技術分野】
【０００１】
本発明は、映像表示機器、映像表示機器の接続方法及び複数の映像表示機器を用いて映像を表示するマルチ表示システムに関する。
【背景技術】
【０００２】
複数のプロジェクタやディスプレイ装置等の映像表示機器を用いて映像を表示するマルチ表示システムは、１台の映像表示機器よりも大画面かつ高解像度で映像を表示できるため、イベント会場やショールーム等で広く利用されている。【０００３】
図１は、映像表示機器としてプロジェクタを用いたマルチ表示システムの一例を示す模式図である。
図１に示すマルチ表示システムは、映像表示機器である複数（図１では４台）のプロジェクタ１〜４と、各プロジェクタ１〜４に映像信号を供給するパーソナルコンピュータ（Ｐｅｒｓｏｎａｌ  Ｃｏｍｐｕｔｅｒ：以下、ＰＣと称す）５と、プロジェクタ１〜４から映像が投射されるスクリーン７とを備え、ＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ）規格に準拠したＨＤＭＩケーブル６を用いて、ＰＣ５にプロジェクタ１〜４がデイジーチェーン接続された構成である。【０００４】
ＨＤＭＩでは、映像信号、音声信号及び制御信号を含むＨＤＭＩ信号を供給する映像信号源となる機器をソース（Ｓｏｕｒｃｅ）機器と呼び、ＨＤＭＩ信号を受信する機器をシンク（Ｓｉｎｋ）機器と呼び、ＨＤＭＩ信号を中継する機器をリピータ（Ｒｅｐｅａｔｅｒ）機器と呼ぶ。図１に示すマルチ表示システムでは、ＰＣ５がソース機器となり、プロジェクタ１〜４がシンク機器となる。プロジェクタ１〜３は、シンク機器だけでなく、リピータ機器としても動作する。【０００５】
シンク機器は、自機器の機種を示す情報（製造者名、型式等）及び仕様に関する情報（対応可能な信号フォーマットや解像度等）等の自機器の情報を含む識別データであるＥＤＩＤ（Ｅｘｔｅｎｄｅｄ  Ｄｉｓｐｌａｙ  Ｉｄｅｎｔｉｆｉｃａｔｉｏｎ  Ｄａｔａ）を保持し、ソース機器と接続されたときに該ＥＤＩＤをソース機器へ送信する。ソース機器は、シンク機器から送信されたＥＤＩＤに基づいて、該シンク機器の仕様に対応した映像信号や音声信号を含むＨＤＭＩ信号を出力する。【０００６】
ソース機器、リピータ機器及びシンク機器は、ＨＤＭＩに対応した処理を実行するインタフェース回路を備え、該インタフェース回路にはＨＤＭＩ規格に対応したＨＤＭＩ端子（不図示）が接続されている。
図２は、ソース機器及び各映像表示機器が備えるＨＤＭＩに対応した処理を実行するインタフェース回路の一構成例を示すブロック図である。
図２に示すインタフェース回路１０は、上記ＥＤＩＤを保持する記憶部１１と、後述する映像表示機器の処理手順を実行する制御部１２とを有する構成である。図２に示すインタフェース回路１０は、例えば、ＣＰＵ（Central Processing Unit）、記憶装置、各種論理回路、ソース機器や他の映像表示機器と信号や情報を送受信するための通信手段等を備えた情報処理用のＩＣ（Integrated Circuit）等で実現される。【０００７】
リピータ機器は、２つのＨＤＭＩ端子をそれぞれ備え、一方のＨＤＭＩ端子がＨＤＭＩケーブル６を介して隣接する一方の機器（リピータ機器、ソース機器またはシンク機器）と接続され、他方のＨＤＭＩ端子がＨＤＭＩケーブル６を介して隣接する他方の機器と接続される。ここでは、ＨＤＭＩ端子及びＨＤＭＩケーブル６を介して接続されるソース機器またはソース機器に近い映像表示機器を「前段側機器」と称し、ソース機器から遠い映像表示機器を「後段側機器」と称す場合がある。すなわち、ソース機器またはソース機器から出力された映像信号を自機器へ供給する映像表示機器を前段側機器と称し、自機器が中継する映像信号の受信が可能な映像表示機器を後段側機器と称す。リピータ機器として動作しないシンク機器は、前段側機器用のＨＤＭＩ端子のみ備える構成でもよい。【０００８】
なお、図１に示すように、映像信号源（ソース機器）に対して複数の映像表示機器がデイジーチェーン接続されたマルチ表示システムは、例えば特許文献１〜４にも記載されている。【０００９】
図３は、ソース機器とシンク機器の接続時における処理手順を時系列で示すシーケンス図である。図３は、ＨＤＭＩ規格に基づいてソース機器とシンク機器との接続が確立するまでの処理手順を示している。ソース機器とシンク機器の「接続の確立」とは、ソース機器とシンク機器とがＨＤＭＩケーブル６を用いて接続され、ソース機器及びシンク機器の電源がそれぞれＯＮされて、ソース機器からシンク機器へＨＤＭＩ信号が出力可能な状態を指す。また、図３に示す処理は、図２に示したインタフェース回路１０（制御部１２）で実行されるものとする。【００１０】
図３に示すように、ソース機器とシンク機器とがＨＤＭＩケーブル６を介して接続されて各々の電源がＯＮされると、まずソース機器はシンク機器へ所定の直流電圧（ＤＣ＋５Ｖ）を供給する。ソース機器からシンク機器には、ＨＤＭＩケーブル６が備えるＤＣ＋５Ｖ専用のラインを通してＤＣ＋５Ｖが供給される。【００１１】
シンク機器は、ソース機器から所定の直流電圧（ＤＣ＋５Ｖ）が供給されると、ＨＤＭＩ信号を受信するための準備を開始し、該準備が完了すると、ＨＤＭＩ規格で定義されたＨＰＤ（Ｈｏｔ  Ｐｌｕｇ  Ｄｅｔｅｃｔ）信号を「Ｌ」（＝Ｌｏｗ）から「Ｈ」（＝Ｈｉｇｈ）に切り替えて、信号受信の準備完了をソース機器に通知する。シンク機器が実行するＨＤＭＩ信号を受信するための準備には、不揮発性メモリ（例えばＳＲＡＭ（Ｓｔａｔｉｃ  Ｒａｎｄｏｍ  Ａｃｃｅｓｓ  Ｍｅｍｏｒｙ）で保持している自機器のＥＤＩＤを読み出す処理がある。なお、シンク機器におけるＨＰＤ信号の「Ｌ」から「Ｈ」への切り替えには、ソース機器から供給される上記ＤＣ＋５Ｖが用いられる。【００１２】
ソース機器は、ＨＰＤ信号が「Ｌ」から「Ｈ」に切り替わると、ＨＤＭＩ信号を受信可能な機器（この場合はシンク機器）が接続されことを認識し、ＨＤＭＩ規格で定義されたＤＤＣ／ＣＩ（Ｄｉｓｐｌａｙ  Ｄａｔａ  Ｃｈａｎｎｅｌ／Ｃｏｍｍａｎｄ  Ｉｎｔｅｒｆａｃｅ）機能を用いて該シンク機器にＥＤＩＤの送信を要求する。【００１３】
シンク機器は、ソース機器からＥＤＩＤの送信が要求されると、該要求にしたがって自機器のＥＤＩＤをソース機器へ送信する。以降、ソース機器は、受信したＥＤＩＤが示す、該シンク機器の仕様に対応した映像信号や音声信号を含むＨＤＭＩ信号を出力する。シンク機器は、ソース機器から出力されたＨＤＭＩ信号に含まれる映像信号が示す映像を表示し、該ＨＤＭＩ信号に含まれる音声信号が示す音声を再生する。
なお、ソース機器は、後段のシンク機器が備える記憶部にアクセスすることで、該記憶部で保持されたＥＤＩＤを受信する構成もある。【００１４】
図４は、ソース機器、リピータ機器及びシンク機器の接続時における処理手順を時系列で示すシーケンス図である。図４は、ＨＤＭＩ規格に基づいてソース機器、リピータ機器及びシンク機器の接続が確立するまでの処理手順を示している。但し、図４は、ソース機器、リピータ機器及びシンク機器がＨＤＭＩケーブル６を用いて接続された状態において、最初にシンク機器とリピータ機器の電源をＯＮにして該シンク機器と該リピータ機器との接続を確立し、続いてソース機器の電源をＯＮにしてリピータ機器とソース機器との接続を確立するまでの処理例を示している。また、図４に示す処理は、図２に示したインタフェース回路１０（制御部１２）で実行されるものとする。【００１５】
図４に示すように、リピータ機器及びシンク機器の電源がＯＮされると、リピータ機器は、図３に示したソース機器と同様に、接続されたシンク機器に所定の直流電圧（ＤＣ＋５Ｖ）を供給する。シンク機器は、リピータ機器から所定の直流電圧（ＤＣ＋５Ｖ）が供給されると、ＨＤＭＩ信号を受信するための準備を開始し、準備が完了すると、ＨＰＤ信号を「Ｌ」から「Ｈ」に切り替えて信号受信の準備完了をリピータ機器に通知する。【００１６】
リピータ機器は、後段側機器用のＨＰＤ信号が「Ｌ」から「Ｈ」に切り替わると、後段側にＨＤＭＩ信号が受信可能な機器（この場合はシンク機器）が接続されたと認識し、ＤＤＣ／ＣＩ機能を用いて該機器にＥＤＩＤの送信を要求する。シンク機器は、リピータ機器からＥＤＩＤの送信が要求されると、該要求にしたがって自機器のＥＤＩＤをリピータ機器へ送信する。【００１７】
リピータ機器は、後段側機器（シンク機器）からＥＤＩＤを受信すると、該シンク機器に対応する映像信号がソース機器から出力されるように、自機器のＥＤＩＤを後段側機器（シンク機器）のＥＤＩＤに書き換えて保存する。【００１８】
次に、ソース機器の電源がＯＮされると、図３に示した処理手順と同様に、ソース機器は、接続されたリピータ機器に所定の直流電圧（ＤＣ＋５Ｖ）を供給する。リピータ機器は、ソース機器から所定の直流電圧（ＤＣ＋５Ｖ）が供給されると、ＨＤＭＩ信号を受信するための準備を開始し、準備が完了すると、前段側機器用のＨＰＤ信号を「Ｌ」から「Ｈ」に切り替えて信号受信の準備完了をソース機器に通知する。【００１９】
ソース機器は、ＨＰＤ信号が「Ｌ」から「Ｈ」に切り替わると、ＨＤＭＩ信号が受信可能な機器（この場合はリピータ機器）が接続されたと認識し、ＤＤＣ／ＣＩ機能を用いて接続された機器にＥＤＩＤの送信を要求する。リピータ機器は、ソース機器からＥＤＩＤの送信が要求されると、該要求にしたがって保持しているシンク機器のＥＤＩＤをソース機器へ送信する。以降、ソース機器は、受信したＥＤＩＤが示す、シンク機器の仕様に対応した映像信号や音声信号を含むＨＤＭＩ信号をリピータ機器へ出力する。リピータ機器及びシンク機器は、ソース機器から出力されたＨＤＭＩ信号に含まれる映像信号が示す映像を表示し、該ＨＤＭＩ信号に含まれる音声信号が示す音声を再生する。【００２０】
ソース機器とシンク機器との間に複数のリピータ機器が接続される場合も、各リピータ機器が、自機器のＥＤＩＤを後段側機器のＥＤＩＤにそれぞれ書き換えることで、最後段に位置するシンク機器のＥＤＩＤがソース機器へ通知される。なお、ソース機器、リピータ機器及びシンク機器の接続が確立する順序は、図３に示した順序に限定されるものではなく、各機器の電源をＯＮにする順序に応じて変動する。
なお、リピータ機器は、後段のリピータ機器またはシンク機器が備える記憶部にアクセスすることで、該記憶部で保持されたＥＤＩＤを受信する構成もある。【００２１】
ところで、マルチ表示システムにおいて、デイジーチェーン接続された複数の映像表示機器がリピータ機器となるかシンク機器となるかは、互いの接続関係に依存するため、各映像表示機器は、自機器がリピータ機器であるかシンク機器であるかを、上記ＨＰＤ信号を用いて判定する。【００２２】
図５は、背景技術の映像表示機器の処理手順を示すフローチャートである。図５は、ソース機器に複数の映像表示機器がデイジーチェーン接続された状態からの処理手順を示している。図５に示す処理は、図２に示したインタフェース回路１０（制御部１２）で実行されるものとする。
図５に示すように、映像表示機器は、電源が投入（ＯＮ）されると、まず後段側機器のＨＰＤ信号を確認し（ステップＳ１）、該ＨＰＤ信号が「Ｌ」である場合はシンク機器として動作する（ステップＳ２）。後段側機器のＨＰＤ信号が「Ｈ」である場合、映像表示機器は、後段側機器にＥＤＩＤの送信を要求する信号を出力する（ステップＳ３）。【００２３】
続いて、映像表示機器は、後段側機器のＥＤＩＤの受信が成功したか否かを判定し（ステップＳ４）、ＥＤＩＤの受信が成功した場合は、前段側機器のＨＰＤ信号を「Ｌ」にし（ステップＳ５）、受信した後段側機器のＥＤＩＤを自機器のＥＤＩＤに書き換える（ステップＳ６）。また、映像表示機器は、ＥＤＩＤの書き換えが完了して信号受信の準備が完了すると、前段側機器のＨＰＤ信号を「Ｈ」にし（ステップＳ７）、以降、リピータ機器として動作する（ステップＳ８）。【００２４】
ステップＳ４にて、後段側機器のＥＤＩＤの受信に失敗した場合、映像表示機器は、後段側機器に対するＥＤＩＤの送信要求が所定の回数（例えば、３回）に到達したか否かを判定する（ステップＳ９）。ＥＤＩＤの送信要求が所定の回数に到達していない場合、映像表示機器は、ステップＳ３に戻ってステップＳ９までの処理を繰り返す。一方、ＥＤＩＤの送信要求が所定の回数に到達している場合、映像表示機器はシンク機器として動作する（ステップＳ１０）。【００２５】
上述したように複数の映像表示機器がデイジーチェーン接続されたマルチ表示システムでは、ソース機器から最も後段に接続されるシンク機器のＥＤＩＤが複数のリピータ機器を通してソース機器に通知される。ここで、図４に示した処理手順において、映像表示機器が自機器のＥＤＩＤを後段側機器のＥＤＩＤに書き換えている間は、自機器のＥＤＩＤが一時的に不定となる。したがって、映像表示機器は、信号受信の準備未完了を前段側機器へ通知するため、ＥＤＩＤを書き換える前に前段側機器のＨＰＤ信号を「Ｌ」にする。
すなわち、複数の映像表示機器がデイジーチェーン接続されたマルチ表示システムにおいて、いずれかの映像表示機器がＥＤＩＤを書き換えている間は、ＨＤＭＩ信号を送受信することができない。【００２６】
したがって、ソース機器に接続する映像表示機器の台数が多くなると、各リピータ機器におけるＥＤＩＤの書き換えに要する時間が長くなるため、マルチ表示システムを構築して運用を開始しても、各映像表示機器から映像が表示されるまでに時間を要する場合がある。【００２７】
また、近年では、上記ＨＤＭＩの機能を含む様々な通信形式をサポートするＨＤＢａｓｅＴ（登録商標）規格に準拠したインタフェースが策定され、該ＨＤＢａｓｅＴで複数の映像表示機器がデイジーチェーン接続されたマルチ表示システムも増えてきている。
ＨＤＢａｓｅＴで接続された映像表示機器は、接続確立後に一定時間以上映像信号を受信できない場合、ＨＤＢａｓｅＴインタフェース回路から前段側機器に対して映像信号の送信を要求する。その際、該映像表示機器は、前段側機器のＨＰＤ信号を、一旦「Ｌ」にし、その後「Ｈ」にするため、該前段側機器は、後段側に映像表示機器が新たに接続されたものと判断してしまう。【００２８】
その場合、該前段側機器は、後段側の映像表示機器に対してＤＣ＋５Ｖを供給する処理から始まるＥＤＩＤの送信要求を再度実行し、自機器のＥＤＩＤを後段側の映像表示機器から受信したＥＤＩＤに再度書き換える。【００２９】
上述したように、映像表示機器が自機器のＥＤＩＤを書き換えている間は、映像信号を送受信できないため、上記不要なＥＤＩＤの書き換え処理が映像信号の送受信開始をさらに遅らせる要因となる。したがって、最悪の場合、不要なＥＤＩＤの書き換え処理が各映像表示機器で繰り返し実行されることで、マルチ表示システム構築して運用を開始しても、各映像表示機器で映像が全く表示されないおそれがある。
【先行技術文献】
【特許文献】
【００３０】
【特許文献１】特開２００３−３４５３２７号公報
【特許文献２】特開２００４−１０２０２７号公報
【特許文献３】国際公開第２００６／０５７３２４号
【特許文献４】特開２０１６−００１８４５号公報
【発明の概要】
【００３１】
本発明は、マルチ表示システムの運用開始時における、各映像表示機器から映像が表示されるまでの時間が短縮可能であり、各映像表示機器で映像が表示されない不具合を回避できる映像表示機器、映像表示機器の接続方法及びマルチ表示システムを提供することを目的とする。
【００３２】
上記目的を達成するため本発明の映像表示機器は、デイジーチェーン接続される映像表示機器であって、
自機器の情報を含む識別データを保持する記憶部と、
自機器が中継する映像信号の受信が可能な映像表示機器である後段側機器が接続されると、前記後段側機器から該後段側機器の識別データを受信し、前記受信した識別データが、前記後段側機器が自機器と同一機種であることを示すと、自機器の識別データをそのまま保持する制御部と、
を有し、
前記制御部は、前記受信した識別データが、前記後段側機器が自機器と異なる機種であることを示すと、自機器の識別データを前記後段側機器の識別データに書き換える書き換え処理を行う。
【００３３】
または、デイジーチェーン接続される映像表示機器であって、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ：登録商標）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて、映像信号を供給する前段側機器に接続され、
自機器の情報を含む識別データを保持する記憶部と、
自機器が中継する映像信号の受信が可能な映像表示機器である後段側機器が接続されると、前記後段側機器から該後段側機器の識別データを受信し、前記受信した識別データが、前記後段側機器が自機器と同一機種であることを示すと、Ｈｉｇｈに設定されている、前記インタフェースで用いられるＨＰＤ（Ｈｏｔ  Ｐｌｕｇ  Ｄｅｔｅｃｔ）信号を保持する制御部と、
を有し、
前記制御部は、
前記受信した識別データが、前記後段側機器が自機器と異なる機種であることを示すと、自機器の識別データを前記後段側機器の識別データに書き換える書き換え処理を行い、
前記書き換え処理を行うとき、少なくとも自機器の識別データを前記後段側機器の識別データに書き換えている期間、前記映像信号を自機器へ供給する前段側機器に、信号受信の準備未完了を通知し、
前記信号受信の準備未完了は、前記ＨＰＤ信号がＬｏｗである。
【００３４】
本発明の映像表示機器の接続方法は、デイジーチェーン接続される映像表示機器の接続方法であって、
第１の映像表示機器に、当該第１の映像表示機器が中継する映像信号の受信が可能な映像表示機器である第２の映像表示機器が接続されると、
前記第１の映像表示機器は、前記第２の映像表示機器から該第２の映像表示機器の識別データを受信し、
前記受信した識別データが、前記第２の映像表示機器が前記第１の映像表示機器と同一機種であることを示すと、前記第１の映像表示機器の識別データをそのまま保持し、
前記受信した識別データが、前記第２の映像表示機器が第１の映像表示機器と異なる機種の場合は、第１の映像表示機器の識別データを前記第２の映像表示機器の識別データに書き換える書き換え処理を行う方法である。
【００３５】
または、デイジーチェーン接続される映像表示機器の接続方法であって、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ：登録商標）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて、映像信号を供給する前段側機器に接続され、
自機器が中継する映像信号の受信が可能な映像表示機器である後段側機器が接続されると、
前記後段側機器から該後段側機器の識別データを受信し、
前記受信した識別データが、前記後段側機器が自機器と同一機種であることを示すと、Ｈｉｇｈに設定されている、前記インタフェースで用いられるＨＰＤ（Ｈｏｔ  Ｐｌｕｇ  Ｄｅｔｅｃｔ）信号を保持し、
前記受信した識別データが、前記後段側機器が自機器と異なる機種であることを示すと、自機器の識別データを前記後段側機器の識別データに書き換える書き換え処理を行い、
前記書き換え処理を行うとき、少なくとも自機器の識別データを前記後段側機器の識別データに書き換えている期間、前記映像信号を自機器へ供給する前段側機器に、信号受信の準備未完了を通知し、
前記信号受信の準備未完了は、前記ＨＰＤ信号がＬｏｗである、方法である。
【００３６】
本発明のマルチ表示システムは、映像信号が示す映像を表示する複数の映像表示機器を有し、
前記複数の映像表示機器がデイジーチェーン接続され、
前記映像表示機器は、
自機器の情報を含む識別データを保持する記憶部と、
自機器が中継する前記映像信号の受信が可能な映像表示機器である後段側機器が接続されると、前記後段側機器から該後段側機器の識別データを受信し、前記受信した識別データが、前記後段側機器が自機器と同一機種であることを示すと、自機器の識別データをそのまま保持する制御部と、
を有し、
前記制御部は、前記受信した識別データが、前記後段側機器が自機器と異なる機種であることを示すと、自機器の識別データを前記後段側機器の識別データに書き換える書き換え処理を行う。
【図面の簡単な説明】
【００３７】
【図１】図１は、映像表示機器としてプロジェクタを用いたマルチ表示システムの一例を示す模式図である。
【図２】図２は、ソース機器及び各映像表示機器が備えるＨＤＭＩに対応した処理を実行するインタフェース回路の一構成例を示すブロック図である。
【図３】図３は、ソース機器とシンク機器の接続時における処理手順を時系列で示すシーケンス図である。
【図４】図４は、ソース機器、リピータ機器及びシンク機器の接続時における処理手順を時系列で示すシーケンス図である。
【図５】図５は、背景技術のマルチ表示システムの処理手順を示すフローチャートである。
【図６】図６は、本発明のマルチ表示システムの処理手順の一例を示すフローチャートである。
【図７】図７は、本発明のマルチ表示システムの処理手順の他の例を示すフローチャートである。
【発明を実施するための形態】
【００３８】
次に本発明について図面を用いて説明する。
マルチ表示システムは、各映像表示機器が同じ解像度や明るさで表示することが好ましいため、多くの場合、複数の映像表示機器に同一機種の映像表示機器が用いられる。その場合、同一機種の映像表示機器は同じＥＤＩＤを有するため、各リピータ機器はＥＤＩＤを書き換える必要はない。
しかしながら、上述した背景技術のマルチ表示システムでは、後段側機器が自機器と同一機種の映像表示機器であるか否かに関係なく、図５に示した処理手順にしたがって、各映像表示機器が自機器をリピータ機器であるかシンク機器であるかを判定し、リピータ機器である場合は自機器のＥＤＩＤを後段側機器のＥＤＩＤに書き換える。
【００３９】
そこで、本発明では、リピータ機器が後段側機器のＥＤＩＤを受信すると、該ＥＤＩＤに含まれる該後段側機器の製造者名及び製品コードを確認し、該後段側機器が自機器と同一機種の映像表示機器であると判定した場合は、自機器のＥＤＩＤを書き換えることなく、そのまま使用する。このように後段側機器が自機器と同一機種の映像表示機器である場合に、各リピータ機器が自機器のＥＤＩＤをそのまま使用することで、マルチ表示システムにおける各リピータ機器のＥＤＩＤの書き換え処理が低減される。
なお、「同一機種」とは、完全に同じ構成の映像表示機器である必要はなく、例えば、入力端子や通信機能等のオプションが追加されたり、削除されたりする構成を含む。すなわち、ＥＤＩＤに含まれる、仕様に関する情報のうち、映像を表示するための情報が同じであるとき、同一機種としてもよい。また、ＥＤＩＤに含まれる、自機器の機種を示す情報の一部、例えば型式（製品コード）が同じであるとき、同一機種としてもよい。また、リピータ機器は第１の映像表示機器の一例であり、後段側機器は第２の映像表示機器の一例である。なお、前段側機器は第３の機器の一例である。
【００４０】
図６は、本発明のマルチ表示システムの処理手順の一例を示すフローチャートである。マルチ表示システムの構成は図１に示した背景技術のマルチ表示システムと同様であり、映像表示機器の構成は図２に示した背景技術の映像表示機器と同様であるため、その説明は省略する。各映像表示機器は、プロジェクタである必要はなく、ディスプレイ等でもよい。また、ソース機器は、ＰＣ５に限定されるものではなく、ビデオレコーダー、ブルーレイディスクプレーヤー、ゲーム機器、タブレット端末、スマートフォン等、映像表示機器に映像信号や音声信号を供給できる機器であれば、どのような機器でもよい。
【００４１】
図１に示したマルチ表示システムでは、ＰＣ５（ソース機器）とプロジェクタ１〜４（映像表示機器）とをＨＤＭＩで接続した構成例を示しているが、ソース機器と各映像表示機器とは、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）、ＨＤＢａｓｅＴ（登録商標）等、ＨＤＭＩとは異なるインタフェースで接続される構成でもよい。なお、ＨＰＤ（Ｈｏｔ  Ｐｌｕｇ  Ｄｅｔｅｃｔ）信号は、ＨＤＭＩだけでなく、ＤＶＩ、ＤＰ、ＨＤＢａｓｅＴ等でも用いられる。また、図６に示す処理は、図２に示したインタフェース回路１０（制御部１２）で実行されるものとする。
【００４２】
図６に示すように、映像表示機器は、電源が投入（ＯＮ）されると、後段側機器のＨＰＤ信号を確認し（ステップＳ１）、該ＨＰＤ信号が「Ｌ」である場合は前段側機器のＨＰＤ信号を「Ｈ」とし、シンク機器として動作する（ステップＳ２）。後段側機器のＨＰＤ信号が「Ｈ」である場合、映像表示機器は、後段側機器にＥＤＩＤの送信を要求する信号を出力する（ステップＳ３）。
【００４３】
続いて、映像表示機器は、後段側機器のＥＤＩＤの受信に成功したか否かを判定し（ステップＳ４）、ＥＤＩＤの受信に成功した場合は、該ＥＤＩＤに含まれる後段側機器の製造者名及び製品コードを確認し（ステップＳ１１）、後段側機器が自機器と同一機種であるか否かを判定する（ステップＳ１２）。
【００４４】
後段側機器が自機器と同一機種である場合、映像表示機器は後段側機器のＥＤＩＤをコピーせず、自機器のＥＤＩＤを使用して（ステップＳ１３）、リピータ機器として動作する。一方、後段側機器が自機器と異なる機種である場合、映像表示機器は、前段側機器のＨＰＤ信号を「Ｌ」にし（ステップＳ５）、自機器のＥＤＩＤを受信した後段側機器のＥＤＩＤに書き換える書き換え処理を行う（ステップＳ６）。映像表示機器は、ＥＤＩＤの書き換えが完了し、信号受信の準備が完了すると、前段側機器のＨＰＤ信号を「Ｈ」にし（ステップＳ７）、以降、リピータ機器として動作する（ステップＳ８）。すなわち、映像表示機器は、書き換え処理を行うとき、少なくとも自機器のＥＤＩＤを後段側機器のＥＤＩＤに書き換えている期間、前段側機器のＨＰＤ信号を「Ｌ」にし、前段側機器に信号受信の準備未完了を通知する。
【００４５】
ステップＳ４にて、後段側機器のＥＤＩＤの受信に失敗した場合、映像表示機器は、後段側機器に対するＥＤＩＤの送信要求が所定の回数（例えば、３回）に到達したか否かを判定する（ステップＳ９）。ＥＤＩＤの送信要求が所定の回数に到達していない場合、映像表示機器は、ステップＳ３に戻ってステップＳ９までの処理を繰り返す。一方、ＥＤＩＤの送信要求が所定の回数に到達している場合、映像表示機器は、前段側機器のＨＰＤ信号を「Ｈ」とし、シンク機器として動作する（ステップＳ１０）。
【００４６】
図７は、本発明のマルチ表示システムの処理手順の他の例を示すフローチャートである。
図７は、映像表示機器がシンク機器として動作している状態で、後段側機器のＨＰＤ信号が「Ｌ」から「Ｈ」になったことを検出したとき、該ＨＰＤ信号に基づいて自機器がリピータ機器であるかシンク機器であるかを判定するまでの処理例を示している。その他の処理手順は、図６に示したフローチャートと同様であるため、その説明は省略する。
映像表示機器がシンク機器として動作しているとき、該映像表示機器は、所定のタイミング、例えば定期的に後段側のＨＰＤ信号を検出する。
図７で示すように、ＨＰＤ信号に基づいて自機器がリピータ機器であるかシンク機器であるかを判定することで、映像表示機器がシンク機器として動作していた場合でも、該映像表示機器がリピータ機器またはシンク機器に再設定される。
【００４７】
本発明によれば、各映像表示機器（リピータ機器）は、後段側機器が自機器と同一機種である場合、自機器のＥＤＩＤを書き換えることなく、そのまま使用する。そのため、マルチ表示システムにおける各リピータ機器のＥＤＩＤの書き換え処理が低減される。また、リピータ機器におけるＥＤＩＤの書き換え処理が低減することで、ＥＤＩＤの書き換え前に前段側機器のＨＰＤ信号を「Ｌ」に設定し、信号受信の準備未完了を該前段側機器へ通知する処理も低減される。
【００４８】
特に、マルチ表示システムが全て同一機種の映像表示機器で構成される場合、リピータ機器におけるＥＤＩＤの書き換え処理が不要になり、信号受信の準備未完了を前段側機器へ通知する処理も不要になる。そのため、マルチ表示システムの運用開始時における、映像表示までに要する時間の短縮が期待できる。
【００４９】
また、本発明によれば、ソース機器と複数の映像表示機器とがＨＤＢａｓｅＴにてデイジーチェーン接続される構成において、任意のリピータ機器から前段側機器に対して映像信号の送信が要求された場合でも、それらの機器が同一機種であれば、該前段側機器にてＥＤＩＤの書き換え処理が実行されることはない。
したがって、不要なＥＤＩＤの書き換え処理が各映像表示機器で繰り返し実行されることで発生する、マルチ表示システムの運用開始時における、映像が表示されない不具合も低減される。
【００５０】
以上、実施形態を参照して本願発明を説明したが、本願発明は上記実施形態に限定されものではない。本願発明の構成や詳細は本願発明のスコープ内で当業者が理解し得る様々な変更が可能である。
【００５１】
上記の実施形態の一部又は全部は、以下のようにも記載されうるが、以下の構成に限定されるものではない。
【００５２】
（付記１）
デイジーチェーン接続される映像表示機器であって、
自機器の情報を含む識別データを保持する記憶部と、
自機器が中継する映像信号の受信が可能な映像表示機器である後段側機器が接続されると、前記後段側機器から該後段側機器の識別データを受信し、前記受信した識別データが、前記後段側機器が自機器と同一機種であることを示すと、自機器の識別データをそのまま保持する制御部と、
を有する映像表示機器。
（付記２）
付記１に記載の映像表示機器において、
前記受信した識別データが、前記後段側機器が自機器と異なる機種であることを示すと、自機器の識別データを前記後段側機器の識別データに書き換える書き換え処理を行う映像表示機器。
（付記３）
付記２に記載の映像表示機器において、
前記制御部は、
前記書き換え処理を行うとき、少なくとも自機器の識別データを前記後段側機器の識別データに書き換えている期間、前記映像信号を自機器へ供給する前段側機器に、信号受信の準備未完了を通知する映像表示機器。
（付記４）
付記３に記載の映像表示機器において、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて前記前段側機器に接続され、前記信号受信の準備未完了は、前記インタエースで用いられるＨＰＤ（Ｈｏｔ  Ｐｌｕｇ  Ｄｅｔｅｃｔ）信号がＬｏｗである映像表示機器。
（付記５）
付記１から４のいずれか１項に記載の映像表示機器において、
前記識別データは、少なくとも映像表示機器の機種を示す情報を含む映像表示機器。
（付記６）
デイジーチェーン接続される映像表示機器であって、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて、映像信号を供給する前段側機器に接続され、
自機器の情報を含む識別データを保持する記憶部と、
自機器が中継する映像信号の受信が可能な映像表示機器である後段側機器が接続されると、前記後段側機器から該後段側機器の識別データを受信し、前記受信した識別データが、前記後段側機器が自機器と同一機種であることを示すと、Ｈｉｇｈに設定されている、前記インタフェースで用いられるＨＰＤ（Ｈｏｔ  Ｐｌｕｇ  Ｄｅｔｅｃｔ）信号を保持する制御部と、
を有する映像表示機器。
（付記７）
デイジーチェーン接続される映像表示機器の接続方法であって、
第１の映像表示機器に、当該第１の映像表示機器が中継する映像信号の受信が可能な映像表示機器である第２の映像表示機器が接続されると、
前記第１の映像表示機器は、前記第２の映像表示機器から該第２の映像表示機器の識別データを受信し、
前記受信した識別データが、前記第２の映像表示機器が前記第１の映像表示機器と同一機種であることを示すと、前記第１の映像表示機器の識別データをそのまま保持する映像表示機器の接続方法。
（付記８）
付記７に記載の映像表示機器の接続方法において、
前記受信した識別データが、前記第２の映像表示機器が第１の映像表示機器と異なる機種の場合は、第１の映像表示機器の識別データを前記第２の映像表示機器の識別データに書き換える書き換え処理を行う映像表示機器の接続方法。
（付記９）
付記８に記載の映像表示機器の接続方法において、
前記第１の映像表示機器は、前記書き換え処理を行うとき、少なくとも前記書き換え処理を行っている期間、前記映像信号を前記第１の映像表示機器へ供給する第３の機器に、信号受信の準備未完了を通知する映像表示機器の接続方法。
（付記１０）
付記９に記載の映像表示機器の接続方法において、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて前記第３の機器に接続され、前記信号受信の準備未完了は、前記インタエースで用いられるＨＰＤ（Ｈｏｔ  Ｐｌｕｇ  Ｄｅｔｅｃｔ）信号がＬｏｗである映像表示機器の接続方法。
（付記１１）
付記７から１０のいずれか１項に記載の映像表示機器の接続方法において、
前記識別データは、少なくとも映像表示機器の機種を示す情報を含む映像表示機器の接続方法。
（付記１２）
デイジーチェーン接続される映像表示機器の接続方法であって、
ＨＤＭＩ(Ｈｉｇｈ−Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）またはＨＤＢａｓｅＴのうち、いずれかのインタフェースを用いて、映像信号を供給する前段側機器に接続され、
自機器が中継する映像信号の受信が可能な映像表示機器である後段側機器が接続されると、
前記後段側機器から該後段側機器の識別データを受信し、
前記受信した識別データが、前記後段側機器が自機器と同一機種であることを示すと、Ｈｉｇｈに設定されている、前記インタエースで用いられるＨＰＤ（Ｈｏｔ  Ｐｌｕｇ  Ｄｅｔｅｃｔ）信号を保持する映像表示機器の接続方法。
（付記１３）
映像信号が示す映像を表示する複数の映像表示機器を有し、
前記複数の映像表示機器がデイジーチェーン接続され、
前記映像表示機器は、
自機器の情報を含む識別データを保持する記憶部と、
自機器が中継する前記映像信号の受信が可能な映像表示機器である後段側機器が接続されると、前記後段側機器から該後段側機器の識別データを受信し、前記受信した識別データが、前記後段側機器が自機器と同一機種であることを示すと、自機器の識別データをそのまま保持する制御部と、
を有するマルチ表示システム。
【図１】
0006773294.tif 000002
【図２】
0006773294.tif 000003
【図３】
0006773294.tif 000004
【図４】
0006773294.tif 000005
【図５】
0006773294.tif 000006
【図６】
0006773294.tif 000007
【図７】
0006773294.tif 000008